(57)【特許請求の範囲】
【請求項１】
ブレード型のオス端子を受け入れるメス端子アセンブリであって、
導電性の材料から製作され、略Ｕ字形溝を形成する略Ｕ字形溝部材と取付部材とを含むコア端子部と、硬く弾力のある材料から製作され、略Ｕ字形クリップ部溝を形成する略Ｕ字形クリップ部溝部材を含む略Ｕ字形クリップ部とを備え、
前記略Ｕ字形溝部材はベース部材と、互いに略平行に延びている一対のサイド部材とを有しており、前記一対のサイド部材は互いに離れて配置されるとともに、前記ベース部材に連結されて、前記ベース部材に面対向する前記略Ｕ字形溝への開口を形成する各サイド部材の端部で終わり、前記一対のサイド部材のそれぞれはサイド部材突出部とサイド部材凹部とを含み、
前記略Ｕ字形クリップ部溝部材は、前記略Ｕ字形溝部材を締り嵌めの関係に受止するような寸法にされて、クリップ部ベース部材と一対のクリップ部サイド部材とを含んでおり、前記一対のクリップ部サイド部材は互いに離れて配置されるとともに前記クリップ部ベース部材に連結されて、前記クリップ部ベース部材に面対向する前記略Ｕ字形クリップ部溝へのクリップ部開口を形成する各クリップ部サイド部材の端部で終わり、
前記一対のクリップ部サイド部材の各々は前記略Ｕ字形クリップ部溝に張り出しているクリップ部突出部を含んでおり、前記クリップ部突出部は前記クリップ部サイド部材の端部のそれぞれに隣接して配置されるとともに、これに平行に延びて、対応するクリップ部凹部を形成し、前記一対のクリップ部サイド部材の一方の前記クリップ部突出部および前記一対のクリップ部サイド部材の他方の前記クリップ部突出部は互いに面対向するとともに、互いから離れて配置され、
前記略Ｕ字形クリップ部は、前記略Ｕ字形溝部材を実質的に覆うような寸法にされており、前記各サイド部材の端部に対向する圧縮力を加えることによって、前記一対のサイド部材を互いに向かって前記略Ｕ字形溝に引き込むように作用し、
前記クリップ部突出部のそれぞれは、前記クリップ部サイド部材の端部に圧縮力が加えられた場合に、対応する前記略Ｕ字形溝部材の前記サイド部材凹部に嵌まり、前記取付部材は、前記一対のサイド部材の一方に連結されている第１パネルを含む、メス端子アセンブリ。
【請求項２】
前記一対のサイド部材の各々は、通常状態に向かって弾性的に付勢されながら、前記通常状態から外側に撓む状態へ、および前記通常状態から内側に撓む状態へと移動することを特徴とする、請求項１に記載のメス端子アセンブリ。
【請求項３】
前記一対のクリップ部サイド部材の各々は、通常状態に向かって弾性的に付勢されながら、前記通常状態から外側に撓む状態へ、および前記通常状態から内側に撓む状態へと移動することを特徴とする、請求項１に記載のメス端子アセンブリ。
【請求項４】
前記略Ｕ字形クリップ部は前記一対のクリップ部サイド部材の一方に連結されているＣクランプ片を含んでおり、前記Ｃクランプ片は前記取付部材に圧着するような寸法にされて、そのように作用することを特徴とする、請求項１に記載のメス端子アセンブリ。
【請求項５】
前記第１パネルは、前記一対のサイド部材の前記一方との共通面に配置されていることを特徴とする、請求項１に記載のメス端子アセンブリ。
【請求項６】
前記取付部材は第２パネルと、前記第１パネルおよび前記第２パネルの間に配置されるとともに、これらに連結されている中間パネルとを含んでおり、前記第２パネルは前記共通面に平行に延びている第２パネル面に配置されていることを特徴とする、請求項５に記載のメス端子アセンブリ。
【請求項７】
前記中間パネルは前記第１パネルおよび前記第２パネルを相互に連結するとともに、前記第１および第２のパネルのいずれか一方に対して斜めに延びていることを特徴とする、請求項６に記載のメス端子アセンブリ。
【請求項８】
前記取付部材は前記第１パネルに連結されているスリーブを含み、前記第１パネルが前記一対のサイド部材の前記一方と前記スリーブとの間に配置されていることを特徴とする、請求項１に記載のメス端子アセンブリ。
【請求項９】
前記ベース部材および前記クリップ部ベース部材は少なくとも互いに隣接して配置されていることを特徴とする、請求項１に記載のメス端子アセンブリ。
【請求項１０】
前記各クリップ部サイド部材の端部は前記クリップ部開口から内側に互いに向かって前記略Ｕ字形クリップ部溝に傾斜して、断面から見て略Ｖ字形クリップ部溝部を形成していることを特徴とする、請求項１に記載のメス端子アセンブリ。
【請求項１１】
前記各サイド部材の端部は前記開口から内側に互いに向かって前記略Ｕ字形溝に傾斜して、断面から見て略Ｖ字形溝部を形成していることを特徴とする、請求項１に記載のメス端子アセンブリ。
【請求項１２】
導電性の材料から製作され、略Ｕ字形溝を形成する略Ｕ字形溝部材と取付部材とを含み、ブレード型のオス端子を受け入れるコア端子部と、硬く弾力のある材料から製作され、略Ｕ字形クリップ部溝を形成する略Ｕ字形クリップ部溝部材を含む略Ｕ字形クリップ部とを備えるメス端子アセンブリであって、
前記略Ｕ字形溝部材はベース部材と、互いに略平行に延びている一対のサイド部材とを有し、前記一対のサイド部材は互いに離れて配置され、前記ベース部材に沿って連結され、そこから延びている各サイド部材の前記ベース部材と反対側の端部で終わり、前記一対のサイド部材のそれぞれは少なくとも一つのサイド部材突出部と少なくとも一つのサイド部材凹部とを含み、
前記略Ｕ字形クリップ部溝部材は、前記略Ｕ字形溝部材を締り嵌めの関係に受止するような寸法にされて、クリップ部ベース部材と一対のクリップ部サイド部材とを含んでおり、前記一対のクリップ部サイド部材は互いに離れて配置されるとともに前記クリップ部ベース部材に連結されて、前記クリップ部ベース部材に面対向する前記略Ｕ字形クリップ部溝へのクリップ部開口を形成する各クリップ部サイド部材の端部で終わり、
前記一対のクリップ部サイド部材の各々は前記略Ｕ字形クリップ部溝に張り出しているクリップ部突出部を含んでおり、前記クリップ部突出部は前記クリップ部サイド部材の端部のそれぞれに隣接して配置されるとともに、これに平行に延びて、対応するクリップ部凹部を形成し、前記一対のクリップ部サイド部材の一方の前記クリップ部突出部および前記一対のクリップ部サイド部材の他方の前記クリップ部突出部は互いに面対向するとともに、互いから離れて配置され、
前記略Ｕ字形クリップ部は前記略Ｕ字形溝部材を実質的に覆うような寸法にされて、前記各サイド部材の端部に対向する圧縮力を加えることによって、前記一対のサイド部材を互いに向かって前記略Ｕ字形溝に引き込むように作用し、
前記クリップ部突出部のそれぞれは、前記クリップ部サイド部材の端部に圧縮力が加えられた場合に、対応する前記略Ｕ字形溝部材の前記サイド部材凹部に嵌まり、前記取付部材は、前記一対のサイド部材の一方の前記端部に連結された第１パネルを含む、メス端子アセンブリ。
【請求項１３】
少なくとも一つのサイド部材突出部は前記略Ｕ字形溝に張り出している第１突出部と第２突出部とを含み、
前記第１突出部は前記サイド部材の端部のそれぞれに隣接して配置されるとともにこれに平行に延びて、対応する第１凹部を形成しており、前記一対のサイド部材の一方の前記第１突出部および前記一対のサイド部材の他方の前記第１突出部は互いに面対向するとともに、互いから離れて配置されており、
前記第２突出部は前記ベース部材に隣接して配置されるとともにこれに平行に延びて、対応する第２凹部を形成しており、前記一対のサイド部材の一方の前記第２突出部および前記一対のサイド部材の他方の前記第２突出部は互いに面対向するとともに、互いから離れて配置されていることを特徴とする、請求項１２に記載のメス端子アセンブリ。
【請求項１４】
前記取付部材は、前記第１パネルに連結されるとともにこれから横方向に延びている少なくとも３つのストップ片を含み、前記少なくとも３つのストップ片の各々は前記Ｕ字形溝を横切っていることを特徴とする、請求項１４に記載のメス端子アセンブリ。
【請求項１５】
導電性の材料から製作され、略Ｕ字形溝を形成する略Ｕ字形溝部材を含むコア端子部と、硬く弾力のある材料から製作され、略Ｕ字形クリップ部溝を形成する略Ｕ字形クリップ部溝部材を含む略Ｕ字形クリップ部とを備えるメス端子アセンブリであって、
前記略Ｕ字形溝部材はベース部材と、互いに略平行に延びている一対のサイド部材とを有しており、前記一対のサイド部材は互いに離れて配置されるとともに、前記ベース部材に連結されて、前記ベース部材に面対向する前記略Ｕ字形溝への開口を形成する各サイド部材の端部で終わり、
前記略Ｕ字形クリップ部は前記略Ｕ字形溝部材を実質的に覆うような寸法にされており、前記各サイド部材の端部に対向する圧縮力を加えることによって、前記一対のサイド部材を互いに向かって前記略Ｕ字形溝に引き込むように作用し、
前記コア端子部は、前記一対のサイド部材の一方に連結されている取付部材を含み、
前記取付部材は縦方向に延びているスリーブと、前記各サイド部材の端部の前記一方および前記スリーブに連結されてその間に介在する第１パネルとを含む、メス端子アセンブリ。
【請求項１６】
前記取付部材は、前記第１パネルおよび前記スリーブを相互に連結するブリッジ要素を含み、前記ブリッジ要素は前記第１パネルから前記スリーブに向かって細くなっていることを特徴とする、請求項１５に記載のメス端子アセンブリ。
【発明の詳細な説明】
【技術分野】
【０００１】
本発明は電気用メス端子に関する。より具体的には、本発明は電気用メス端子アセンブリに関する。
【背景技術】
【０００２】
電気用メス端子は当業界で周知である。例えば、ケネディに特許付与された特許文献１は、ブレード型オス端子を受止するためのメス電気端子を開示している。このメス端子は第１壁、第２壁、第３壁および第４壁を含み、互いに接合されて第１壁と第２壁との間、第２壁と第３壁との間、および第３壁と第４壁との間の縁部で一体的なユニットになっている。第１壁の自由端の一部、および第４壁の自由端の一部に連動可能な係合部材が形成されている。連動可能な係合部材は壁を閉鎖構成に固締して、その中に第１壁と第３壁が向かい合う関係にあるとともに、第２壁と第４壁が向かい合う関係にある内部空間を形成する。一対の端子要素の個々の要素は一対の向かい合う壁のそれぞれから一体的に形成されている。端子要素の各々は、その壁との取付点から端子の内部空間内に折り返されて、差し込まれたブレード型オス端子によって係合されるときメインブレード型端子に弾性的に偏倚可能な接触部を形成する。
【０００３】
このメス端子は内部空間内で作用する完全に独立した２つのばね要素を必要とする。実用上、このメス端子は小型メス端子として特に有用である。さらに、このメス端子は典型的には低電流アプリケーションに使用される。
フジワラに特許付与された特許文献２では、過度な外力によって生じる変形に耐えられる寸法精度の高い過応力防止用突出部を有するメス型コンタクトを開示している。突出部は、ばね式接触片を過度な応力から保護し、底壁と底壁の前端から後方に向かって延びているばね式接触片との間に設けられている。突出部は側壁の中に形成されている２つの切れ目の間の部分を内側に曲げることによって形成されている。突出部はＶ字形で両端が壁に固定されているため、突出部は全体が外力から生じる変形を受けない。
【０００４】
エマディ他に特許付与された特許文献３は、高電圧接続用電気コネクタの組み立てキットを開示している。このキットは裸導線に圧着可能なピン接点端子と、裸導線に圧着可能なソケット接点端子と、圧着されるピン接点端子を差し込める端子ハウジングサブアセンブリと、圧着されるソケット接点端子を差し込める端子ハウジングサブアセンブリと、２つのハウジングアセンブリを差し込める通路を有するコネクタハウジングとを有するのみである。各ハウジングアセンブリは裸導線の終端から端子へと後方に、絶縁導線の長さに沿って延びている後方区画を含んでおり、使用中のコロナ放電現象を最小にするための長い電圧漏れ経路を作っている。各ハウジングサブアセンブリは、内部に、差し込むと端子を固定する保持クリップを含むとともに、周囲には、ハウジング通路に差し込むとハウジングサブアセンブリをコネクタハウジング内に保持する別の保持クリップを含んでいる。ハウジングサブアセンブリはピンとソケットの接触片を囲み、コネクタ接合面に沿って長い電圧漏れ経路を作っている接合可能な前方フード区画を含む。
【０００５】
このメス端子は高電圧アプリケーションに使用されるが、ブレード型をしたオス端子は受け入れることができない。
【先行技術文献】
【特許文献】
【０００６】
【特許文献１】米国特許第３，７１３，０８０号明細書
【特許文献２】米国特許第５，５４０，６０３号明細書
【特許文献３】米国特許第４，８３４，６７８号明細書
【発明の概要】
【発明が解決しようとする課題】
【０００７】
そこで、ブレード型オス端子を受け入れ可能で、特に高電圧アプリケーションに有用なメス端子アセンブリを提供すれば有益であろう。
本発明の目的は、ブレード型オス端子を受け入れるメス端子アセンブリを提供することである。
本発明の別の目的は、特に高電圧アプリケーションに有用なメス端子アセンブリを提供することである。
【課題を解決するための手段】
【０００８】
本発明のメス端子アセンブリは、コア端子部と略Ｕ字形クリップ部とを含む。コア端子部は金属などの導電性の材料から製作され、略Ｕ字形溝部材と取付部材とを有する。略Ｕ字形溝部材は略Ｕ字形溝を形成している。略Ｕ字形溝部材はベース部材と、互いに略平行に延びている一対のサイド部材とを有する。一対のサイド部材は互いに離れて配置されており、ベース部材に連結されて各サイド部材の端部で終わっている。各サイド部材の端部は略Ｕ字形溝の開口を形成している。開口はベース部材と面対向している。一対のサイド部材のそれぞれはサイド部材突出部とサイド部材凹部とを含む。取付部材は、一対のサイド部材の一方に連結されている第１パネルを含む。略Ｕ字形クリップ部は硬くはあるが弾力のある材料から製作されて、略Ｕ字形クリップ部溝部材を含む。略Ｕ字形クリップ部溝部材は略Ｕ字形クリップ部溝を形成している。略Ｕ字形クリップ部は略Ｕ字形溝部材を実質的に覆うような寸法にされて、各サイド部材の端部に対向する圧縮力を加えることによって、一対のサイド部材を互いに向かって略Ｕ字形溝に引き込むように作用する。クリップ部突出部のそれぞれは、クリップ部サイド部材の端部に圧縮力が加えられた場合に、対応する略Ｕ字形溝部材のサイド部材凹部に嵌まる。
【図面の簡単な説明】
【０００９】
【図１】本発明のメス端子アセンブリの第１の実施形態を示す斜視図であり、コア端子部と略Ｕ字形クリップ部とを互いに解放自在に連結した状態を示す。
【図２】本発明のメス端子アセンブリの第１の実施形態を示す分解斜視図であり、コア端子部と略Ｕ字形クリップ部とが互いに離脱している状態を示す。
【図３】本発明のメス端子アセンブリの側立面図である。
【図４】本発明のメス端子アセンブリの第１の実施形態のコア端子部の上面図である。
【図５】本発明のメス端子アセンブリの第１の実施形態の略Ｕ字形クリップ部の上面図である。
【図６】メス端子アセンブリの第１の実施形態のコア端子部の略Ｕ字形溝部材の側立面図であり、一対のサイド部材のそれぞれが通常状態に向かって弾性的に付勢されながら、一対のサイド部材のそれぞれが通常状態から外側に撓む状態（仮想線）、および通常状態から内側に撓む状態（仮想線）を示す。
【図７】メス端子アセンブリの第１の実施形態の略Ｕ字形クリップ部の略Ｕ字形クリップ部溝部材の側立面図であり、一対のクリップ部サイド部材のそれぞれが通常状態に向かって弾性的に付勢されながら、一対のクリップ部サイド部材のそれぞれが通常状態から外側に撓む状態（仮想線）、および通常状態から内側に撓む状態（仮想線）を示す。
【図８】メス端子アセンブリの第１の実施形態のコア端子部と略Ｕ字形クリップ部とが互いに解放自在に連結されている状態の拡大側断面図である。
【図９】本発明のメス端子アセンブリの第１の実施形態の逆斜視図であり、仮想線で示したオス端子ブレードを受止する直前のコア端子部と略Ｕ字形クリップ部とが互いに解放自在に連結された状態を示す。
【図１０】本発明のメス端子アセンブリの第１の実施形態の逆斜視図であり、仮想線で示したオス端子ブレードが受止されている状態で互いに連結されているコア端子部と略Ｕ字形クリップ部とを示す。
【図１１】仮想線で示したオス端子ブレードが受止されているときに、メス端子アセンブリの第１の実施形態のコア端子部と略Ｕ字形クリップ部とが互いに解放自在に連結された状態の拡大側立面図である。
【図１２】本発明のメス端子アセンブリの第２の実施形態の斜視図であり、コア端子部と略Ｕ字形クリップ部とが互いに解放自在に連結されている状態を示す。
【図１３】本発明のメス端子アセンブリの第２の実施形態の分解斜視図であり、コア端子部と略Ｕ字形クリップ部とが互いに離脱している状態を示す。
【図１４】図１２の本発明のメス端子アセンブリの第２の実施形態の側立面図である。
【図１５】本発明のメス端子アセンブリの第２の実施形態のコア端子部と略Ｕ字形クリップ部とが互いに解放自在に連結されている状態の拡大側立面図である。
【図１６】本発明のメス端子アセンブリの第２の実施形態の逆斜視図であり、仮想線で示したオス端子ブレードを受止する直前のコア端子部と略Ｕ字形クリップ部とが互いに解放自在に連結されている状態を示す。
【図１７】本発明のメス端子アセンブリの第２の実施形態の逆斜視図であり、仮想線で示したオス端子ブレードが受止されているときに互いに解放自在に連結されているコア端子部と略Ｕ字形クリップ部とを示す。
【図１８】本発明のメス端子アセンブリの第３の実施形態の逆斜視図であり、仮想線で示したオス端子ブレードを受止する直前のコア端子部と略Ｕ字形クリップ部とが互いに解放自在に連結されている状態を示す。
【図１９】本発明のメス端子アセンブリの第２の実施形態の分解逆斜視図であり、コア端子部と略Ｕ字形クリップ部とが互いに離脱している状態を示す。
【図２０】図１８に示す本発明のメス端子アセンブリの上面図である。
【図２１】本発明のメス端子アセンブリの第４の実施形態の分解斜視図であり、コア端子部と略Ｕ字形クリップ部とが互いに離脱している状態を示す。
【図２２】本発明のメス端子アセンブリの第５の実施形態の分解斜視図であり、コア端子部と略Ｕ字形クリップ部とが互いに離脱している状態を示す。
【図２３】本発明のメス端子アセンブリの第６の実施形態の分解斜視図であり、コア端子部と略Ｕ字形クリップ部とが互いに離脱している状態を示す。
【発明を実施するための形態】
【００１０】
以下、本発明の実施形態を添付の図面を参照しながら説明する。先行技術と共通の構造部品および本発明のそれぞれの実施形態に共通の構造部品は、同一の記号で示し、その説明を繰り返すことは省略する。
本発明のメス端子アセンブリ１０の第１の実施形態を、以下図１から図１１を参照しながら説明する。図１から図３にもっともよく示されているように、本発明のメス端子アセンブリ１０は、従来のデカルト座標系に対して方向付けられているコア端子部１２と略Ｕ字形クリップ部１４とを含む。技術上周知なように、デカルト座標系は縦軸Ｌと、横軸Ｒと、交差軸Ｔとを含む。また図１に示すように、縦軸Ｌ、横軸Ｒ、および交差軸Ｔは互いに直交し、縦軸Ｌおよび横軸Ｒが縦横面ＰＬＲを形成し、縦軸Ｌおよび交差軸Ｔが縦交差面ＰＬＴを形成し、横軸および交差軸が横交差面ＰＲＴを形成する。
【００１１】
コア端子部１２は図８および図１１に示すように、銅または他の従来からある導電性金属などの導電性の材料から製作されている。図２にもっともよく示されているように、コア端子部１２は縦方向に延びている略Ｕ字形溝部材１６を含み、これが縦方向に延びている略Ｕ字形溝１８を形成している。略Ｕ字形溝部材１６は縦横方向に延びているベース部材１６ａと、縦交差方向に延びている一対のサイド部材１６ｂおよび１６ｃとを有する。一対のサイド部材１６ｂおよび１６ｃは互いに略平行にも延びており、図８にもっともよく示されている第１距離ｄ１だけ互いに横方向に離れて配置されている。一対のサイド部材１６ｂおよび１６ｃはベース部材１６ａに沿って縦方向に連結されており、そこから交差方向に延びて、それぞれサイド部材の端部１６ｂ１および１６ｃ１で終わる。各サイド部材の端部１６ｂ１および１６ｃ１は略Ｕ字形溝１８に縦横方向に延びている開口２０を形成しているので、開口２０はベース部材１６ａに面対向している。
【００１２】
図１、図２および図８を参照すると、略Ｕ字形クリップ部１４は、例えば金属などの硬い弾力のある材料から製作されている。しかしながら、当業者であれば、略Ｕ字形クリップ部１４は、例えばプラスチックなど、硬い弾力のある他の非金属材料から製造できることは理解するであろう。略Ｕ字形クリップ部１４は縦方向に延びている略Ｕ字形クリップ部溝部材２２を含み、これが縦方向に延びている略Ｕ字形クリップ部溝２４を形成している。図１および図８を参照すると、略Ｕ字形クリップ部１４は略Ｕ字形溝部材１６を実質的に覆うような寸法にされており、各サイド部材の端部１６ｂ１および１６ｃ１に対向する圧縮力Ｆ１およびＦ２を加えることによって（図８）、一対のサイド部材１６ｂおよび１６ｃを互いに向かって略Ｕ字形溝１８に引き込むように作用する。
【００１３】
図６を参照すると、一対のサイド部材１６ｂ１および１６ｃ１はそれぞれ通常状態（実線）から、外側に撓む状態（略Ｕ字形溝１８から外側に広がる仮想線で示す）に移動する。また、一対のサイド部材１６ｂ１および１６ｃ１はそれぞれ通常状態（実線）から、内側に撓む状態（略Ｕ字形溝１８の中に内側に広がる仮想線で示す）に移動する。さらに、一対のサイド部材１６ｂ１および１６ｃ１はそれぞれ通常状態に弾性的に付勢されることに留意する。
【００１４】
再び図１、図２および図８を参照すると、略Ｕ字形クリップ部溝部材２２は略Ｕ字形溝部材１６を締り嵌めの関係で受止するような寸法にされている。略Ｕ字形クリップ部溝部材２２は、クリップ部ベース部材２２ａと、互いに離れて配置されるとともにクリップ部ベース部材２２ａに連結されて各クリップ部サイド部材の端部２２ｂ１および２２ｃ１で終わる一対のクリップ部サイド部材２２ｂおよび２２ｃとを含む。図２および図７にもっともよく示されているように、クリップ部サイド部材の端部２２ｂ１および２２ｃ１は、略Ｕ字形クリップ部溝２４のクリップ部開口２６を形成している。クリップ部開口２６はクリップ部ベース部材２４ａと面対向している。図７に示すように、一対のクリップ部サイド部材２２ｂおよび２２ｃはそれぞれ通常状態（実線）から、外側に撓む状態（略Ｕ字形クリップ部溝２４から外側に広がる仮想線で示す）に移動する。また、一対のクリップ部サイド部材２２ｂおよび２２ｃはそれぞれ通常状態（実線）から、内側に撓む状態（略Ｕ字形クリップ部溝２４の中に内側に広がる仮想線で示す）に移動する。一対のクリップ部サイド部材２２ｂおよび２２ｃはそれぞれ通常状態に弾性的に付勢される。
【００１５】
図１から図３、図９および図１０にもっともよく示されているように、コア端子部１２は、一対のサイド部材の一方、例えば、サイド部材１６ｃに連結されている取付部材２８も含む。図１から図４を参照すると、略Ｕ字形クリップ部はＣクランプ片３０を含む。限定のためではなく例示にすぎないが、Ｃクランプ片３０は一対のクリップ部サイド部材の一方、例えば、クリップ部サイド部材２２ｃに連結されている。Ｃクランプ片３０は、略Ｕ字形クリップ部１４をコア端子部１２に固着するのを助けるために、取付部材２８に圧着するような寸法にされて、そのように作用する。
【００１６】
図１から図３、図８および図１０では単なる例示として、取付部材２８は一対のサイド部材の一方、すなわち、この例ではサイド部材１６ｃに連結されている第１パネル２８ａを含む。取付部材２８は、図２および図３にもっともよく示されているサイド部材１６ｃとの共通面ＣＰに配置されている。さらに、取付部材２８は第２パネル２８ｂと、第１パネル２８ａおよび第２パネル２８ｂの間に配置されるとともに、それぞれに連結されている中間パネル２８ｃとを含む。第２パネル２８ｂは共通面ＣＰに平行に延びている第２パネル面ＳＰに配置されている。図２および図３にもっともよく示されているように、中間パネル２８ｃは第１パネル２８ａおよび第２パネル２８ｂを相互に連結して、第１パネル２８ａおよび第２パネル２８ｂのうちいずれか一方に対して斜めに延びている。
【００１７】
図５、図８および図１１では、一対のサイド部材１６ｂおよび１６ｃの各々は、第１突出部１６ｂ２および１６ｃ２をそれぞれ含む。各第１突出部１６ｂ２は略Ｕ字形溝１８に張り出しており、各第１突出部１６ｂ２および１６ｃ２はサイド部材の端部１６ｂ１および１６ｃ１のそれぞれに隣接して配置されるとともに、これに平行に延びている。さらに、各第１突出部１６ｂ２および１６ｃ２はそれぞれ対応する第１凹部１６ｂ３および１６ｃ３を形成している。例示として、図６にもっともよく示されているように、サイド部材１６ｂの第１突出部１６ｂ３と、一対のサイド部材の他方１６ｃの第１突出部１６ｃ３とは面対向して、距離ｄ１の分だけ互いから離れて配置されている。また、図６、図８および図１１では、一対のサイド部材１６ｂおよび１６ｃの各々が第２突出部１６ｂ４および１６ｃ４を含む。第２突出部１６ｂ４および１６ｃ４は各々が略Ｕ字形溝１８に張り出している。また、第２突出部１６ｂ４および１６ｃ４の各々は、ベース部材１６ａに隣接して配置されるとともに、これに平行に延びている。加えて、第２突出部１６ｂ４および１６ｃ４の各々は対応する第２凹部１６ｂ５および１６ｃ５を形成している。例示として、サイド部材１６ｂの第２突出部１６ｂ４と、サイド部材の他方１６ｃの第２突出部１６ｃ４とは互いに面対向して、互いから離れて配置されている。
【００１８】
再び図６、図８および図１１を参照すると、一対のクリップ部サイド部材２２ｂおよび２２ｃの各々は、クリップ部突出部２２ｂ２および２２ｃ２を含む。各クリップ部突出部２２ｂ２および２２ｃ２は略Ｕ字形クリップ部溝２４に張り出している。クリップ部突出部２２ｂ２および２２ｃ２の各々は、クリップ部サイド部材の端部２２ｂ１および２２ｃ１のそれぞれに隣接して配置されるとともに、これに平行に延びている。また、クリップ部突出部２２ｂ２および２２ｃ２の各々は対応するクリップ部凹部２２ｂ３および２２ｃ３を形成している。さらに、例えば、クリップ部サイド部材２２ｂのクリップ部突出部２２ｂ２と、一対のクリップ部サイド部材の他方２２ｃのクリップ部突出部２２ｃ２とは互いに面対向して、距離ｄ２の分だけ離れて配置されている。
【００１９】
前記説明したコア端子部１２および略Ｕ字形クリップ部１４の構成に関し、当業者であれば、クリップ部突出部２２ｂ３および２２ｃ３の各々が、第１凹部１６ｂ３および１６ｃ３に嵌り込むことは理解するであろう。また、図８および図１１に図示するように、ベース部材１６ａおよびクリップ部ベース部材２２ａは互いに接触している。しかし、当業者であれば、ベース部材１６ａおよびクリップ部ベース部材２２ａは互いに隣接して配置できることは理解するであろう。
【００２０】
図７に示すように、各クリップ部サイド部材の端部２２ｂ１および２２ｃ１は、クリップ部開口２６から内側に互いに向かって、略Ｕ字形クリップ部溝２４に傾斜しているので、断面で見て略Ｖ字形クリップ部溝部２４ａを形成している。図６、図８および図１１に示すように、各サイド部材の端部１６ｂ１および１６ｂ２は開口２０から内側に互いに向かって、略Ｕ字形溝に傾斜しているので、断面で見ると略Ｖ字形溝部１８ａを形成している。
【００２１】
図９から図１１に図示するように、メス端子アセンブリ１０はブレード型オス端子３２を受止する。図１１では、断面において、ブレード型オス端子３２は第１および第２の突出部１６ｂ２，１６ｃ２，１６ｂ４および１６ｃ４に接触することに留意する。オス端子の厚さＴＭＴは前述した距離ｄ１よりも大きいため、オス端子の圧縮力が接触線に沿って第１および第２の突出部１６ｂ２，１６ｃ２，１６ｂ４および１６ｃ４によって加えられ、それによってブレード型オス端子３２は略Ｕ字形溝１８に解放自在に保持される。
【００２２】
本発明のメス端子アセンブリ１１０の第２の実施形態を、図１２から図１５に図示している。メス端子アセンブリ１１０の第２の実施形態は、前記説明したメス端子アセンブリ１０の第１の実施形態に類似している。しかしながら、この２つの実施形態には異なる特徴がある。
限定のためではなく例示にすぎないが、一対のサイド部材の一方、具体的にはサイド部材１６ｂは複数の端片要素１６ｂ１ｐから１６ｂ１ｘｐを含み、「ｘ」は１より大きい任意の整数とすることができよう。しかし、単なる例示として、「ｘ」は整数４に等しい。また、限定のためではなく例示にすぎないが、一対のクリップ部サイド部材の一方、すなわち、クリップ部サイド部材２２ｂは複数の個別パネルセグメント２２ｂ１ｐから２２ｂｙｐを含み、「ｙ」は１より大きい任意の整数とすることができよう。単なる例示として、「ｙ」は整数２に等しい。加えて、取付部材２８は第１パネル２８ａに取り付けられている折り重ね要素３４を含む。折り重ね要素３４は、メス端子アセンブリ１１０の第２の実施形態において、Ｃクランプ片３０の上部によって捕捉されている。
【００２３】
また、メス端子アセンブリ１１０の第２の実施形態の略Ｕ字形クリップ部１４は、ストップ要素３６と折り返し要素３８とを含む。折り返し要素３８は一対のクリップ部サイド部材の一方、すなわち、クリップ部サイド部材２２ｂ２に連結されて、交差方向に延び、かつ、縦方向前方から折り返されている。ストップ要素３６はクリップ部ベース部材２２ａに連結されて、横方向に延び、かつ、縦方向前方から、略Ｕ字形クリップ部溝２４に向かって折り曲げられている。
【００２４】
図１６および図１７はメス端子アセンブリ１１０がブレード型オス端子３２を受止している状態を示している。
メス端子アセンブリ２１０の第３の実施形態を図１８から図２０に紹介する。本発明のメス端子アセンブリ２１０の第３の実施形態は、主要部品を異なる向きに配置しており、他の主要でない部品を変更または追加していることを除き、前記説明したメス端子アセンブリ１０および１１０の第１および第２の実施形態と同一の部品を含む。コア端子部１２は縦方向に延びている略Ｕ字形溝部材１６を含み、これが交差方向に延びている略Ｕ字形溝１８を形成している。略Ｕ字形溝部材１６は、横交差方向に延びているベース部材１６ａと、縦交差方向に、互いに略平行に延びている一対のサイド部材１６ｂおよび１６ｃとを有する。一対のサイド部材１６ｂおよび１６ｃは互いに横方向に離れて配置されており、ベース部材１６ａに沿って交差方向に連結されて、そこから縦交差方向に延びている各サイド部材の端部１６ｂ１および１６ｃ１で終わる。
【００２５】
さらに、略Ｕ字形クリップ部１４は縦方向に延びている略Ｕ字形クリップ部溝部材２２を含み、これが交差方向に延びている略Ｕ字形クリップ部溝２４を形成している。略Ｕ字形クリップ部１４は略Ｕ字形溝部材１６を実質的に覆うような寸法にされて、各サイド部材の端部１６ｂ１および１６ｃ１に対向する圧縮力Ｆ１およびＦ２を加えることによって、一対のサイド部材１６ｂおよび１６ｃを互いに向かって略Ｕ字形溝１８に引き込むように作用する。
【００２６】
取付部材２８は縦方向に延びているスリーブ２８ｄを含む。また、第１パネル２８ａは各サイド部材の端部の一方、すなわちサイド部材の端部１６ｃ１およびスリーブ２８ｄに連結されており、これらの間に介在している。取付部材２８は、第１パネル２８ａに連結されて横方向に延びている少なくとも３つの縦交差方向に延びているストップ片２８ｅ１，２８ｅ２および２８ｅ３も含む。少なくとも３つのストップ片２８ｅ１，２８ｅ２および２８ｅ３は各々が略Ｕ字形溝１８を横方向に横切っている。さらに、取付部材２８は縦交差方向に延びているブリッジ要素２８ｆを含み、これが第１パネル２８ａとスリーブ２８ｄとを相互に連結している。ブリッジ要素２８ｆは第１パネル２８ａからスリーブ２８ｄに向かって細くなっていることに留意する。
【００２７】
本発明のメス端子アセンブリ３１０の第４の実施形態を図２１に図示している。メス端子アセンブリ３１０の第４の実施形態は、前記説明したメス端子アセンブリ１１０の第２の実施形態に類似している。しかしながら、この２つの実施形態には異なる特徴がある。
限定のためではなく例示にすぎないが、一対のサイド部材の一方、具体的にはサイド部材１６ｂは４つの端片要素１６ｂ１ｐから１６ｂ４ｐを含んでおり、一対のサイド部材の他方、具体的にはサイド部材１６ｃは２つの端片要素１６ｃ１ｐおよび１６ｃ２ｐを含む。また、限定のためではなく例示にすぎないが、一対のクリップ部サイド部材の一方、すなわち、クリップ部サイド部材２２ｂは２つの個別パネルセグメント２２ｂ１ｐおよび２２ｂ２ｐを含んでおり、一対のクリップ部サイド部材の他方、すなわち、クリップ部サイド部材２２ｃも２つの個別パネルセグメント２２ｃ１ｐおよび２２ｃ２ｐを含む。
【００２８】
本発明のメス端子アセンブリ４１０の第５の実施形態を図２２に図示している。メス端子アセンブリ４１０の第５の実施形態は、前記説明したメス端子アセンブリ１１０の第２の実施形態に類似している。しかしながら、この２つの実施形態には異なる特徴がある。
限定のためではなく例示にすぎないが、一対のサイド部材の一方、具体的には、サイド部材１６ｂは４つの端片要素１６ｂ１ｐから１６ｂ４ｐを含んでおり、一対のサイド部材の他方、具体的には、サイド部材１６ｃも４つの端片要素１６ｃ１ｐから１６ｃ４ｐを含む。また、限定のためではなく例示にすぎないが、一対のクリップ部サイド部材の一方、すなわち、クリップ部サイド部材２２ｂは２つの個別パネルセグメント２２ｂ１ｐおよび２２ｂ２ｐを含んでおり、一対のクリップ部サイド部材の他方、すなわち、クリップ部サイド部材２２ｃも２つの個別パネルセグメント２２ｃ１ｐおよび２２ｃ２ｐを含む。
【００２９】
本発明のメス端子アセンブリ５１０の第６の実施形態を図２３に図示している。メス端子アセンブリ５１０の第６の実施形態は、前記説明したメス端子アセンブリ１１０の第２の実施形態に類似している。しかしながら、この２つの実施形態には異なる特徴がある。
限定のためではなく例示にすぎないが、一対のサイド部材の一方、具体的には、サイド部材１６ｂは４つの端片要素１６ｂ１ｐから１６ｂ４ｐを含んでおり、一対のサイド部材の他方、具体的には、サイド部材１６ｃも４つの端片要素１６ｃ１ｐから１６ｃ４ｐを含む。さらに、限定のためではなく例示にすぎないが、一対のクリップ部サイド部材の一方、すなわち、クリップ部サイド部材２２ｂは２つの個別パネルセグメント２２ｂ１ｐおよび２２ｂ２ｐを含んでおり、一対のクリップ部サイド部材の他方、すなわち、クリップ部サイド部材２２ｃは４つの個別パネルセグメント２２ｃ１ｐから２２ｃ４ｐを含む。
【００３０】
前記説明に鑑み、メス端子アセンブリの実施形態はブレード型オス端子を受け入れ、特に高電圧アプリケーションに有用なメス端子アセンブリの構造を提供する。
しかしながら、本発明はさまざまな異なる形態で実施してもよく、本明細書に記載した実施形態に限定されると解釈するべきではない。むしろ、これらの実施形態は、本開示を徹底的かつ完璧なものにし、当業者に本発明の範囲を十分に伝えるために提供されている。
【図１】
0005156864.tif 000002
【図２】
0005156864.tif 000003
【図３】
0005156864.tif 000004
【図４】
0005156864.tif 000005
【図５】
0005156864.tif 000006
【図６】
0005156864.tif 000007
【図７】
0005156864.tif 000008
【図８】
0005156864.tif 000009
【図９】
0005156864.tif 000010
【図１０】
0005156864.tif 000011
【図１１】
0005156864.tif 000012
【図１２】
0005156864.tif 000013
【図１３】
0005156864.tif 000014
【図１４】
0005156864.tif 000015
【図１５】
0005156864.tif 000016
【図１６】
0005156864.tif 000017
【図１７】
0005156864.tif 000018
【図１８】
0005156864.tif 000019
【図１９】
0005156864.tif 000020
【図２０】
0005156864.tif 000021
【図２１】
0005156864.tif 000022
【図２２】
0005156864.tif 000023
【図２３】
0005156864.tif 000024